(57)【特許請求の範囲】
【請求項１】
ユーザ装置がソースコアノードを経由する少なくとも一つの初期外部ネットワークコネクションを含む外部ネットワークへゲートウェイ・リロケーションを提供するための方法において、
モビリティー・イベントを初期化することと、
前記ユーザ装置と前記ソースコアノードとの間の関連付けに基づき、前記外部ネットワークと第１のターゲットコアノードとの間の少なくとも一つの新たな外部ネットワークコネクションを生成するために、前記外部ネットワークとの前記少なくとも一つの初期外部ネットワークコネクションを、前記ソースコアノード経由から、前記第１のターゲットコアノード経由へリロケーションすることと、
前記少なくとも一つの新たな外部ネットワークコネクションを介した前記外部ネットワークへのアクセスのために、前記ユーザ装置のための少なくとも一つのインターネット・プロトコル・アドレスを登録することを含む方法。
【請求項２】
前記外部ネットワークは、パケットデータネットワークである請求項１に記載の方法。
【請求項３】
前記少なくとも一つの初期外部ネットワークコネクションのうちの一つ又は前記少なくとも一つの新たな外部ネットワークコネクションのうちの一つは、パケットデータネットワークコネクションである請求項２に記載の方法。
【請求項４】
前記モビリティー・イベントは、ゲートウェイ・リロケーションである請求項１に記載の方法。
【請求項５】
前記ゲートウェイ・リロケーションは、第三世代パートナーシッププロジェクトシステムにより実行される請求項４に記載の方法。
【請求項６】
前記ゲートウェイ・リロケーションは、第三世代パートナーシッププロジェクトシステムにおいて部分的に実行され、及び、第三世代パートナーシッププロジェクト２高速パケットデータシステムにおいて部分的に実行される請求項４に記載の方法。
【請求項７】
前記モビリティー・イベントは、ゲートウェイ・リロケーションに結合されたハード・ハンドオーバーである請求項１に記載の方法。
【請求項８】
前記第１のターゲットコアノードは、前記ハード・ハンドオーバーの完了の後に、前記少なくとも一つのインターネット・プロトコル・アドレスを割り当てる請求項７に記載の方法。
【請求項９】
前記ソースコアノードは、サービングゲートウェイである請求項１に記載の方法。
【請求項１０】
前記ソースコアノード及び前記第１のターゲットコアノードは、パケットデータネットワークゲートウェイである請求項１に記載の方法。
【請求項１１】
前記ソースコアノード及び前記第１のターゲットコアノードは、同一場所に配置される請求項１に記載の方法。
【請求項１２】
少なくとも一つの新たなインターネット・プロトコル・アドレスを登録することを更に含む請求項１に記載の方法。
【請求項１３】
前記少なくとも一つの新たなインターネット・プロトコル・アドレスは、コアノードに登録される請求項１２に記載の方法。
【請求項１４】
前記コアノードは、ホームエージェントである請求項１３に記載の方法。
【請求項１５】
前記少なくとも一つのインターネット・プロトコル・アドレスは、モバイル・インターネット・プロトコルで、そのホームエージェントに登録される請求項１４に記載の方法。
【請求項１６】
前記コアノードは、パケットデータネットワークゲートウェイである請求項１３に記載の方法。
【請求項１７】
前記少なくとも一つのインターネット・プロトコル・アドレスの割り当てのために、無線資源管理シグナリングが用いられる請求項１に記載の方法。
【請求項１８】
前記少なくとも一つのインターネット・プロトコル・アドレスは、移動ローカルブレークアウトに関連付けられる請求項１に記載の方法。
【請求項１９】
前記第１のターゲットコアノードは、パケットデータネットワークゲートウェイであり、前記移動ローカルブレークアウトは、移動ローカルブレークアウト・パケットデータネットワーク・コネクションである請求項１８に記載の方法。
【請求項２０】
前記第１のターゲットコアノードを識別するための識別子を用いる請求項１８に記載の方法。
【請求項２１】
前記識別子は、アクセスポイント名又はネットワークアクセス識別子のうちの一つである請求項２０の記載の方法。
【請求項２２】
前記第１のターゲットコアノードは、ゲートウェイ汎用パケット無線サービスサポートノード、パケットデータサポートノード、コネクティビティーサービスネットワーク、パケットデータインターネットワーキング機能／パケットデータゲートウェイ又はパケットデータネットワークゲートウェイのうちの一つである請求項１に記載の方法。
【請求項２３】
前記少なくとも一つのインターネット・プロトコル・アドレスを割り当てるために、レイヤ２シグナリングが用いられる請求項１に記載の方法。
【請求項２４】
前記少なくとも一つのインターネット・プロトコル・アドレスを割り当てるために、インターネット・プロトコル・シグナリングが用いられる請求項１に記載の方法。
【請求項２５】
第２のターゲットコアノードが、ベアラー・アクティベーションを要求するために、前記第１のターゲットコアノードと連絡をとることを更に含む請求項１に記載の方法。
【請求項２６】
前記第１のターゲットコアノードへ、クリエイト・ベアラー・リクエストを送信することを更に含む請求項２５に記載の方法。
【請求項２７】
前記第１のターゲットコアノードが、ベアラーのための許可を要求することを更に含む請求項２６に記載の方法。
【請求項２８】
前記第１のターゲットコアノードが、前記第２のターゲットコアノードへ、ベアラー・アクティベーション・リクエストを送信することを更に含む請求項２７に記載の方法。
【請求項２９】
前記第２のターゲットコアノードが、前記ベアラーのアクティベーションを承認するために、前記第１のターゲットコアノードへ、ベアラー・アクティベーション・レスポンスを送信することを更に含む請求項２８に記載の方法。
【請求項３０】
前記インターネット・プロトコル・アドレスをホームエージェントへ登録する場合に、該ホームエージェントへバインディング・アップデートを送信することを更に含む請求項２９に記載の方法。
【請求項３１】
前記ホームエージェントが、バインディング・アップデート・アクノリッジメントを送信することによって、前記バインディング・アップデートを承認することを更に含む請求項３０に記載の方法。
【請求項３２】
前記バインディング・アップデート・アクノリッジメントは、二つ以上のローカル・ブレークアウト・アドレスへ送信される請求項３１に記載の方法。
【請求項３３】
前記第１のターゲットコアノードは、パケットデータネットワークゲートウェイであり、前記第２のターゲットコアノードは、サービングゲートウェイである請求項３２に記載の方法。
【請求項３４】
ユーザ装置がソースコアノードを経由する少なくとも一つの初期外部ネットワークコネクションを含む外部ネットワークへゲートウェイ・リロケーションを提供するためのターゲットコアノードの中に備えられる装置において、
前記装置は、少なくとも一つのプロセッサ及び少なくとも一つのメモリを含み、
前記少なくとも一つのメモリは、
モビリティー・イベントを初期化することと、
前記ユーザ装置と前記ソースコアノードとの間の関連付けに基づき、前記外部ネットワークと第１のターゲットコアノードとの間の少なくとも一つの新たな外部ネットワークコネクションを生成するために、前記外部ネットワークとの前記少なくとも一つの初期外部ネットワークコネクションを、前記ソースコアノード経由から、前記第１のターゲットコアノード経由へリロケーションすることと、
前記少なくとも一つの新たな外部ネットワークコネクションを介した前記外部ネットワークへのアクセスのために、前記ユーザ装置のための少なくとも一つのインターネット・プロトコル・アドレスを登録することを実行するための前記少なくとも一つのプロセッサにより実行されるプログラムコードを含む装置。
【請求項３５】
前記外部ネットワークは、パケットデータネットワークである請求項３４に記載の装置。
【請求項３６】
前記少なくとも一つの初期外部ネットワークコネクションのうちの一つ又は前記少なくとも一つの新たな外部ネットワークコネクションのうちの一つは、パケットデータネットワークコネクションである請求項３５に記載の装置。
【請求項３７】
前記モビリティー・イベントは、ゲートウェイ・リロケーションである請求項３４に記載の装置。
【請求項３８】
前記ゲートウェイ・リロケーションは、第三世代パートナーシッププロジェクトシステムにより実行される請求項３７に記載の装置。
【請求項３９】
前記ゲートウェイ・リロケーションは、第三世代パートナーシッププロジェクトシステムにおいて部分的に実行され、及び、第三世代パートナーシッププロジェクト２高速パケットデータシステムにおいて部分的に実行される請求項３７に記載の装置。
【請求項４０】
前記モビリティー・イベントは、ゲートウェイ・リロケーションに結合されたハード・ハンドオーバーである請求項３４に記載の装置。
【請求項４１】
前記第１のターゲットコアノードは、前記ハード・ハンドオーバーの完了の後に、前記少なくとも一つのインターネット・プロトコル・アドレスを割り当てる請求項４０に記載の装置。
【請求項４２】
前記ソースコアノードは、サービングゲートウェイである請求項３４に記載の装置。
【請求項４３】
前記ソースコアノード及び前記第１のターゲットコアノードは、パケットデータネットワークゲートウェイである請求項３４に記載の装置。
【請求項４４】
前記ソースコアノード及び前記第１のターゲットコアノードは、同一場所に配置される請求項３４に記載の装置。
【請求項４５】
前記少なくとも一つのメモリは、少なくとも一つの新たなインターネット・プロトコル・アドレスを登録するためのプログラムコードを更に含む請求項３４に記載の装置。
【請求項４６】
前記少なくとも一つのインターネット・プロトコル・アドレスは、コアノードに登録される請求項４５に記載の装置。
【請求項４７】
前記コアノードは、ホームエージェントである請求項４６に記載の装置。
【請求項４８】
前記少なくとも一つのインターネット・プロトコル・アドレスは、モバイル・インターネット・プロトコルで、そのホームエージェントに登録される請求項４７に記載の装置。
【請求項４９】
前記コアノードは、パケットデータネットワークゲートウェイである請求項４６に記載の装置。
【請求項５０】
前記少なくとも一つのインターネット・プロトコル・アドレスの割り当てのために、無線資源管理シグナリングが用いられる請求項３４に記載の装置。
【請求項５１】
前記少なくとも一つのインターネット・プロトコル・アドレスは、移動ローカルブレークアウトに関連付けられる請求項３４に記載の装置。
【請求項５２】
前記第１のターゲットコアノードは、パケットデータネットワークゲートウェイであり、前記移動ローカルブレークアウトは、移動ローカルブレークアウト・パケットデータネットワーク・コネクションである請求項５１に記載の装置。
【請求項５３】
前記少なくとも一つのメモリは、前記第１のターゲットコアノードを識別するための識別子を用いるためのプログラムコードを更に含む請求項５１に記載の装置。
【請求項５４】
前記識別子は、アクセスポイント名又はネットワークアクセス識別子のうちの一つである請求項５３に記載の装置。
【請求項５５】
前記第１のターゲットコアノードは、ゲートウェイ汎用パケット無線サービスサポートノード、パケットデータサポートノード、コネクティビティーサービスネットワーク、パケットデータインターネットワーキング機能／パケットデータゲートウェイ又はパケットデータネットワークゲートウェイのうちの一つである請求項３４に記載の装置。
【請求項５６】
前記少なくとも一つのインターネット・プロトコル・アドレスを割り当てるために、レイヤ２シグナリングが用いられる請求項３４に記載の装置。
【請求項５７】
前記少なくとも一つのインターネット・プロトコル・アドレスを割り当てるために、インターネット・プロトコル・シグナリングが用いられる請求項３４に記載の装置。
【請求項５８】
前記少なくとも一つのメモリは、第２のターゲットコアノードが、ベアラー・アクティベーションを要求するために、前記第１のターゲットコアノードと連絡をとるためのプログラムコードを更に含む請求項３４に記載の装置。
【請求項５９】
前記少なくとも一つのメモは、前記第１のターゲットコアノードへ、クリエイト・ベアラー・リクエストを送信するためのプログラムコードを更に含む請求項５８に記載の装置。
【請求項６０】
前記少なくとも一つのメモリは、前記第１のターゲットコアノードが、ベアラーのための許可を要求するためのプログラムコードを更に含む請求項５９に記載の装置。
【請求項６１】
前記少なくとも一つのメモリは、前記第１のターゲットコアノードが、前記第２のターゲットコアノードへ、ベアラー・アクティベーション・リクエストを送信するためのプログラムコードを更に含む請求項６０に記載の装置。
【請求項６２】
前記少なくとも一つのメモリは、前記第２のターゲットコアノードが、前記ベアラーのアクティベーションを承認するために、前記第１のターゲットコアノードへ、ベアラー・アクティベーション・レスポンスを送信するためのプログラムコードを更に含む請求項６１に記載の装置。
【請求項６３】
前記少なくとも一つのメモリは、前記インターネット・プロトコル・アドレスをホームエージェントへ登録する場合に、該ホームエージェントへバインディング・アップデートを送信するためのプログラムコードを更に含む請求項６２に記載の装置。
【請求項６４】
前記少なくとも一つのメモリは、前記ホームエージェントが、バインディング・アップデート・アクノリッジメントを送信することによって、前記バインディング・アップデートを応答するためのプログラムコードを更に含む請求項６３に記載の装置。
【請求項６５】
前記バインディング・アップデート・アクノリッジメントは、二つ以上のローカル・ブレークアウト・アドレスへ送信される請求項６４に記載の装置。
【請求項６６】
前記第１のターゲットコアノードは、パケットデータネットワークゲートウェイであり、前記第２のターゲットコアノードは、サービングゲートウェイである請求項６５に記載の装置。
【請求項６７】
ユーザ装置がソースコアノードを経由する少なくとも一つの初期外部ネットワークコネクションを含む外部ネットワークへゲートウェイ・リロケーションを提供するためのターゲットコアノードの中に備えられる装置において、
モビリティー・イベントを初期化するための手段と、
前記ユーザ装置と前記ソースコアノードとの間の関連付けに基づき、前記外部ネットワークと第１のターゲットコアノードとの間の少なくとも一つの新たな外部ネットワークコネクションを生成するために、前記外部ネットワークとの前記少なくとも一つの初期外部ネットワークコネクションを、前記ソースコアノード経由から、前記第１のターゲットコアノード経由へリロケーションするための手段と、
前記少なくとも一つの新たな外部ネットワークコネクションを介した前記外部ネットワークへのアクセスのために、前記ユーザ装置のための少なくとも一つのインターネット・プロトコル・アドレスを登録するための手段とを含む装置。
【請求項６８】
前記外部ネットワークは、パケットデータネットワークである請求項６７に記載の装置。
【請求項６９】
前記少なくとも一つの初期外部ネットワークコネクションのうちの一つ又は前記少なくとも一つの新たな外部ネットワークコネクションのうちの一つは、パケットデータネットワークコネクションである請求項６８に記載の装置。
【請求項７０】
前記モビリティー・イベントは、ゲートウェイ・リロケーションである請求項６７に記載の装置。
【請求項７１】
前記ゲートウェイ・リロケーションは、第三世代パートナーシッププロジェクトシステムにより実行される請求項７０に記載の装置。
【請求項７２】
前記ゲートウェイ・リロケーションは、第三世代パートナーシッププロジェクトシステムにおいて部分的に実行され、及び、第三世代パートナーシッププロジェクト２高速パケットデータシステムにおいて部分的に実行される請求項７０に記載の装置。
【請求項７３】
前記モビリティー・イベントは、ゲートウェイ・リロケーションに結合されたハード・ハンドオーバーである請求項６７に記載の装置。
【請求項７４】
前記第１のターゲットコアノードは、前記ハード・ハンドオーバーの完了の後に、前記少なくとも一つのインターネット・プロトコル・アドレスを割り当てる請求項７３に記載の装置。
【請求項７５】
前記ソースコアノードは、サービングゲートウェイである請求項６７に記載の装置。
【請求項７６】
前記ソースコアノード及び前記第１のターゲットコアノードは、パケットデータネットワークゲートウェイである請求項６７に記載の装置。
【請求項７７】
前記ソースコアノード及び前記第１のターゲットコアノードは、同一場所に配置される請求項６７に記載の装置。
【請求項７８】
少なくとも一つの新たなインターネット・プロトコル・アドレスを登録するための手段を更に含む請求項６７に記載の装置。
【請求項７９】
前記少なくとも一つのインターネット・プロトコル・アドレスは、コアノードに登録される請求項７８に記載の装置。
【請求項８０】
前記コアノードは、ホームエージェントである請求項７９に記載の装置。
【請求項８１】
前記少なくとも一つのインターネット・プロトコル・アドレスは、モバイル・インターネット・プロトコルで、そのホームエージェントに登録される請求項８０に記載の装置。
【請求項８２】
前記コアノードは、パケットデータネットワークゲートウェイである請求項７９に記載の装置。
【請求項８３】
前記少なくとも一つのインターネット・プロトコル・アドレスの割り当てのために、無線資源管理シグナリングが用いられる請求項６７に記載の装置。
【請求項８４】
前記少なくとも一つのインターネット・プロトコル・アドレスは、移動ローカルブレークアウトに関連付けられる請求項６７に記載の装置。
【請求項８５】
前記第１のターゲットコアノードは、パケットデータネットワークゲートウェイであり、前記移動ローカルブレークアウトは、移動ローカルブレークアウト・パケットデータネットワーク・コネクションである請求項８４に記載の装置。
【請求項８６】
前記第１のターゲットコアノードを識別するための識別子を用いるための手段を更に含む請求項８４に記載の装置。
【請求項８７】
前記識別子は、アクセスポイント名又はネットワークアクセス識別子のうちの一つである請求項８６に記載の装置。
【請求項８８】
ユーザ装置がソースコアノードを経由する少なくとも一つの初期外部ネットワークコネクションを含む外部ネットワークへゲートウェイ・リロケーションを提供するためのコンピュータ読み取り可能な記憶媒体において、
前記コンピュータ読み取り可能な記憶媒体は、少なくとも一つのコンピュータ実装により実行された場合に、
モビリティー・イベントを初期化するためのプログラムコードと、
前記ユーザ装置と前記ソースコアノードとの間の関連付けに基づき、前記外部ネットワークと第１のターゲットコアノードとの間の少なくとも一つの新たな外部ネットワークコネクションを生成するために、前記外部ネットワークとの前記少なくとも一つの初期外部ネットワークコネクションを、前記ソースコアノード経由から、前記第１のターゲットコアノード経由へリロケーションするためのプログラムコードと、
前記少なくとも一つの新たな外部ネットワークコネクションを介した前記外部ネットワークへのアクセスのために、前記ユーザ装置のための少なくとも一つのインターネット・プロトコル・アドレスを登録するためのプログラムコードとを含む方法を実行するプログラムコードを含むコンピュータ読み取り可能な記憶媒体。
【請求項８９】
前記外部ネットワークは、パケットデータネットワークである請求項８８に記載のコンピュータ読み取り可能な記憶媒体。
【請求項９０】
前記少なくとも一つの初期外部ネットワークコネクションのうちの一つ又は前記少なくとも一つの新たな外部ネットワークコネクションのうちの一つは、パケットデータネットワークコネクションである請求項８９に記載のコンピュータ読み取り可能な記憶媒体。
【請求項９１】
前記モビリティー・イベントは、ゲートウェイ・リロケーションである請求項８８に記載のコンピュータ読み取り可能な記憶媒体。
【請求項９２】
前記ゲートウェイ・リロケーションは、第三世代パートナーシッププロジェクトシステムにより実行される請求項９１に記載のコンピュータ読み取り可能な記憶媒体。
【請求項９３】
前記ゲートウェイ・リロケーションは、第三世代パートナーシッププロジェクトシステムにおいて部分的に実行され、及び、第三世代パートナーシッププロジェクト２高速パケットデータシステムにおいて部分的に実行される請求項９１に記載のコンピュータ読み取り可能な記憶媒体。
【請求項９４】
前記モビリティー・イベントは、ゲートウェイ・リロケーションに結合されたハード・ハンドオーバーである請求項８８に記載のコンピュータ読み取り可能な記憶媒体。
【請求項９５】
前記第１のターゲットコアノードは、前記ハード・ハンドオーバーの完了の後に、前記少なくとも一つのインターネット・プロトコル・アドレスを割り当てる請求項９４に記載のコンピュータ読み取り可能な記憶媒体。
【請求項９６】
前記ソースコアノードは、サービングゲートウェイである請求項８８に記載のコンピュータ読み取り可能な記憶媒体。
【請求項９７】
前記ソースコアノード及び前記第１のターゲットコアノードは、パケットデータネットワークゲートウェイである請求項８８に記載のコンピュータ読み取り可能な記憶媒体。
【請求項９８】
前記ソースコアノード及び前記第１のターゲットコアノードは、同一場所に配置される請求項８８に記載のコンピュータ読み取り可能な記憶媒体。
【請求項９９】
少なくとも一つの新たなインターネット・プロトコル・アドレスを登録するためのプログラムコードを更に含む請求項８８に記載のコンピュータ読み取り可能な記憶媒体。
【請求項１００】
前記少なくとも一つのインターネット・プロトコル・アドレスは、コアノードに登録される請求項９９に記載のコンピュータ読み取り可能な記憶媒体。
【請求項１０１】
前記コアノードは、ホームエージェントである請求項１００に記載のコンピュータ読み取り可能な記憶媒体。
【請求項１０２】
前記少なくとも一つのインターネット・プロトコル・アドレスは、モバイル・インターネット・プロトコルで、そのホームエージェントに登録される請求項１０１に記載のコンピュータ読み取り可能な記憶媒体。
【請求項１０３】
前記コアノードは、パケットデータネットワークゲートウェイである請求項１００に記載のコンピュータ読み取り可能な記憶媒体。
【請求項１０４】
前記少なくとも一つのインターネット・プロトコル・アドレスの割り当てのために、無線資源管理シグナリングが用いられる請求項８８に記載のコンピュータ読み取り可能な記憶媒体。
【請求項１０５】
前記少なくとも一つのインターネット・プロトコル・アドレスは、移動ローカルブレークアウトに関連付けられる請求項８８に記載のコンピュータ読み取り可能な記憶媒体。
【請求項１０６】
前記第１のターゲットコアノードは、パケットデータネットワークゲートウェイであり、前記移動ローカルブレークアウトは、移動ローカルブレークアウト・パケットデータネットワーク・コネクションである請求項１０５に記載のコンピュータ読み取り可能な記憶媒体。
【請求項１０７】
前記第１のターゲットコアノードを識別するための識別子を用いるためのプログラムコードを更に含む請求項１０５に記載のコンピュータ読み取り可能な記憶媒体。
【請求項１０８】
前記識別子は、アクセスポイント名又はネットワークアクセス識別子のうちの一つである請求項１０７に記載のコンピュータ読み取り可能な記憶媒体。
【発明の詳細な説明】
【技術分野】
【０００１】
（３５ ＵＳＣ § １１９に基づく優先権の主張）
この特許出願は、２００７年４月２０日付け提出され、「Methods and Apparatus for Providing Gateway Relocation Procedures」と題された米国仮出願第６０／９１３，２３９号に基づく優先権の利益を主張する。それは、本願の譲受人に譲渡され、参照によって本明細書に明確に組み込まれる。
【０００２】
（技術分野）
この開示は、ゲートウェイ・リロケーションを提供するための装置及び方法に関係する。
【背景技術】
【０００３】
多くの無線通信システム、例えばセルラーシステム、において、ネットワーク・アーキテクチャーは、ユーザから外部ネットワーク（external networks）までのネットワークノードを階層化（layering）した階層的な（hierarchical）ものである。そのようなアーキテクチャーにおいて、ユーザ装置（ＵＥ）は、一般的に、例えば基地局のようなエッジノードを介して、無線ネットワークにアクセスする。次に、エッジノードは、例えば基地局コントローラ（ＢＳＣ）、サービングＧＰＲＳサポートノード（ＳＧＳＮ）、無線ネットワークコントローラ（ＲＮＣ）又はモバイルマネージメントエンティティー（ＭＭＥ）などのような中間ノードと通信する。中間ノードは、例えばゲートウェイＧＰＲＳサポートノード（ＧＧＳＮ）又はパケットデータサポートノード（ＰＤＳＮ）のようなコアノードと通信する。コアノードは、例えばインターネット、公衆交換電話網（ＰＳＴＮ）などのような外部ネットワークへの経路（pathway）を提供する。無線通信システムにおける最上位のコアノードは、ゲートウェイとして知られている。
【０００４】
ＵＥは、一般的に、動いている間、サービスエリア（coverage area）の至る所で通信可能な携帯端末である。ＵＥは、一般的に、常に、特定のエッジノード、中間ノード及びソースコアノードに関連付けられる。ＵＥがサービスエリア内で動くにつれて、それは、一般的に、リロケーションとして知られているプロセスを経て、異なるエッジノード及び中間ノードに再割り当てされる。エッジ及び中間ノードに関するリロケーション手続きがある一方、ＵＥが、一旦、特定のソースコアノード又はゲートウェイに割り当てられると、それは、一般的に、通信セッションの終了まで、そのソースコアノード又はゲートウェイに割り当てられたままである。従来、あるＵＥについて、ソースコアノードが、現在のソースコアノードからターゲットコアノードへ変更される必要がある場合には、無線システムは、ターゲットコアノードとの初期接続手続き（initial attach procedure）を引き起こす。そこでは、現在のソースコアノードとの関連付けは、利用されない。
【発明の概要】
【０００５】
中間ノードを活用し、最初から（from scratch）ＵＥとターゲットゲートウェイとの間の関連付けの再生成（recreating）を取り除き、ゲートウェイ・リロケーションの間、潜在的なサービスの途絶（potential service disruption）を減らし、そして、ＵＥの、ＵＥの現在の位置に関してより最適であるターゲットゲートウェイとの効率的な関連付けを促進する（promotes）ゲートウェイ・リロケーション（gateway relocation）を提供するための装置及び方法が開示される。
【０００６】
一つの態様に従って、ユーザ装置（ＵＥ）がソースコアノードを経由する少なくとも一つの初期外部ネットワークコネクションを含む外部ネットワークへゲートウェイ・リロケーションを提供するための方法は、モビリティー・イベントを初期化することと、少なくとも一つの新たな外部ネットワークコネクションを生成するために、前記少なくとも一つの初期外部ネットワークコネクションを、前記ソースコアノード経由から、第１のターゲットコアノード経由へリロケーションすることと、前記少なくとも一つの新たな外部ネットワークコネクションについて、少なくとも一つの新たなＩＰアドレスを、前記ＵＥへ割り当てることと、前記少なくとも一つの新たなＩＰアドレスを使用することを含む。
【０００７】
他の態様に従って、ユーザ装置（ＵＥ）がソースコアノードを経由する少なくとも一つの初期外部ネットワークコネクションを含む外部ネットワークへゲートウェイ・リロケーションを提供するための装置は、少なくとも一つのプロセッサ及び少なくとも一つのメモリを含み、前記少なくとも一つのメモリは、モビリティー・イベントを初期化することと、少なくとも一つの新たな外部ネットワークコネクションを生成するために、前記少なくとも一つの初期外部ネットワークコネクションを、前記ソースコアノード経由から、第１のターゲットコアノード経由へリロケーションすることと、前記少なくとも一つの新たな外部ネットワークコネクションについて、少なくとも一つの新たなＩＰアドレスを、前記ＵＥへ割り当てることと、前記少なくとも一つの新たなＩＰアドレスを使用すること、を実行するための前記少なくとも一つのプロセッサにより実行されるプログラムコードを含む。
【０００８】
他の態様に従って、ユーザ装置（ＵＥ）がソースコアノードを経由する少なくとも一つの初期外部ネットワークコネクションを含む外部ネットワークへゲートウェイ・リロケーションを提供するための装置は、モビリティー・イベントを初期化するための手段と、少なくとも一つの新たな外部ネットワークコネクションを生成するために、前記少なくとも一つの初期外部ネットワークコネクションを、前記ソースコアノード経由から、第１のターゲットコアノード経由へリロケーションするための手段と、前記少なくとも一つの新たな外部ネットワークコネクションについて、少なくとも一つの新たなＩＰアドレスを、前記ＵＥへ割り当てるための手段と、前記少なくとも一つの新たなＩＰアドレスを使用するための手段とを含む。
【０００９】
他の態様に従って、ユーザ装置（ＵＥ）がソースコアノードを経由する少なくとも一つの初期外部ネットワークコネクションを含む外部ネットワークへゲートウェイ・リロケーションを提供するためのコンピュータ読み取り可能な媒体は、少なくとも一つのコンピュータ実装により実行された場合に、モビリティー・イベントを初期化するためのプログラムコードと、少なくとも一つの新たな外部ネットワークコネクションを生成するために、前記少なくとも一つの初期外部ネットワークコネクションを、前記ソースコアノード経由から、第１のターゲットコアノード経由へリロケーションするためのプログラムコードと、前記少なくとも一つの新たな外部ネットワークコネクションについて、少なくとも一つの新たなＩＰアドレスを、前記ＵＥへ割り当てるためのプログラムコードと、前記少なくとも一つの新たなＩＰアドレスを使用するためのプログラムコードと、を含む方法を実行するプログラムコードを含む。
【００１０】
様々な態様が例として示され説明される以下の詳細な説明から、他の態様が当業者には容易に明らかになるであろうことが、理解される。図面及び詳細な説明は、実際は例として考慮されるべきであって、制限として考慮されるべきではない。
【図面の簡単な説明】
【００１１】
【図１】図１は、無線リンク（wireless link）の一つの例を説明する。
【図２】図２は、外部ネットワークへアクセスする階層的な無線通信システムの一つの例を説明する。
【図３ａ】図３ａ，３ｂ及び３ｃは、異なるゲートウェイ・アーキテクチャーを持つ無線通信システムの三つの例を説明する。
【図３ｂ】図３ａ，３ｂ及び３ｃは、異なるゲートウェイ・アーキテクチャーを持つ無線通信システムの三つの例を説明する。
【図３ｃ】図３ａ，３ｂ及び３ｃは、異なるゲートウェイ・アーキテクチャーを持つ無線通信システムの三つの例を説明する。
【図４】図４は、ゲートウェイ・リロケーション手続きの一つの例を説明する。
【図５ａ】図５ａ及び５ｂは、アクティブ・モード・リロケーション手続き（Active Mode relocation procedure）の間にゲートウェイノードのリロケーションをサポートするためのゲートウェイ・リロケーション手続きの一つの例を説明する。
【図５ｂ】図５ａ及び５ｂは、アクティブ・モード・リロケーション手続きの間にゲートウェイノードのリロケーションをサポートするためのゲートウェイ・リロケーション手続きの一つの例を説明する。
【図６】図６は、Ｌ２シグナリング中に組み込まれたＩＰ割り当てを持つ３ＧＰＰシステムの内部のゲートウェイ・リロケーション手続きの一つの例を説明する。
【図７】図７は、ＩＰシグナリングを使ってなされるＩＰ割り当てを持つ３ＧＰＰシステムの内部のゲートウェイ・リロケーション手続きの一つの例を説明する。
【図８】図８は、３ＧＰＰシステムから３ＧＰＰ２ ＨＲＰＤシステムへのゲートウェイ・リロケーション手続きの一つの例を説明する。
【図９】図９は、リロケートされるゲートウェイの例を示す無線通信システムのアーキテクチャーの第１の例を説明する。
【図１０】図１０は、リロケートされるゲートウェイの例を示す無線通信システムのアーキテクチャーの第２の例を説明する。
【図１１】図１１は、リロケートされるゲートウェイの例を示す無線通信システムのアーキテクチャーの第３の例を説明する。
【図１２】図１２は、ＵＥがソースコアノードを経由する少なくとも一つの初期外部ネットワークコネクション（initial external network connection）を含む外部ネットワークへ、ゲートウェイ・リロケーションを提供するための一つの例のフローチャートである。
【図１３】図１３は、ＵＥがソースコアノードを経由する少なくとも一つの初期外部ネットワークコネクションを含む外部ネットワークへ、ゲートウェイ・リロケーションを提供するのに適しているデバイス１３００である。
【図１４】図１４は、ゲートウェイ・リロケーション手続きを実行するためのプロセッサ及びメモリを含むデバイスを示す。
【詳細な説明】
【００１２】
添付図面に関連して以下で説明される詳細な説明は、本開示の様々な態様の説明として意図されており、本開示が実施され得る唯一の態様を示すことは意図されていない。この開示において説明される各々の態様は、ただ本開示の例又は説明として提供されているに過ぎず、必ずしも別の態様より好ましい又は有利であると解釈されるべきではない。詳細な説明は、本開示の深い理解を与えることを目的として、特定の細部を含んでいる。しかしながら、これら特定の細部なしに本開示が実施され得ることは、当業者には明らかであろう。場合によっては、本開示の概念を不明りょうにすることを回避するために、周知の構造又はデバイスがブロック図において示される。頭文字語又は他の説明的な専門用語は、ただ便宜上及び明確にするために用いられることがあるに過ぎず、本開示の範囲を制限することを意図されているものではない。
【００１３】
説明を簡単にするために、手順（methodologies）が、一連のアクト（acts）として示され説明されるが、手順は、アクトの順序によって制限されるものではなく、１又は複数の態様に従って、あるアクトは、異なる順序で発生し及び／又は本明細書で示され説明されたアクトとは異なるアクトと同時に発生しても良いことは、理解（understood）され認識（appreciated）されるべきである。例えば、手順は、その代わりに、例えば状態図におけるように一連の相互に関係のある状態又はイベントとして表され得ることを、当業者は理解し認識するであろう。さらに、１又は複数の態様に従う手順を実装するために、必ずしも説明されたすべてのアクトが必要とされるとは限らない。
【００１４】
図１は、無線リンク１００の一つの例を説明する。図１に示される無線リンク１００は、ＦＤＭＡ環境、ＯＦＤＭＡ環境、ＣＤＭＡ環境、ＷＣＤＭＡ環境、ＴＤＭＡ環境、ＳＤＭＡ環境又は任意の他の適切な無線環境において実装されても良いことを当業者は理解するであろう。
【００１５】
無線リンク１００は、アクセスポイント２００（例えば、エッジノード、基地局など）と、無線通信デバイス３００（すなわち、ユーザ装置又はＵＥ）とを含む。ダウンリンク区間（downlink leg）において、アクセスポイント２００（例えば、エッジノード、基地局など）は、トラフィックデータを受け取り、フォーマットし、符号化し、インターリーブし、変調（又は、シンボルマッピング（symbol maps））し、そして、変調シンボル（すなわち、データシンボル）を供給する送信（ＴＸ）データプロセッサＡ２１０を含む。ＴＸデータプロセッサＡ２１０は、シンボル変調器Ａ２２０と通信可能（in communication with）である。シンボル変調器Ａ２２０は、該データシンボル及びダウンリンク・パイロットシンボルを受け取って処理し、シンボルのストリームを供給する。一つの態様において、シンボル変調器Ａ２２０は、設定情報（configuration information）を供給するプロセッサＡ２８０と通信可能である。シンボル変調器Ａ２２０は、送信機ユニット（ＴＭＴＲ）Ａ２３０と通信可能である。シンボル変調器Ａ２２０は、該データシンボル及びダウンリンク・パイロットシンボルを多重化し、それらを送信機ユニットＡ２３０へ供給する。
【００１６】
送信されるべき各々のシンボルは、データシンボル、ダウンリンク・パイロットシンボル、又は、ゼロ（zero）の信号値である。ダウンリンク・パイロットシンボルは、各々のシンボル期間（period）において連続的に送信されても良い。一つの態様において、ダウンリンク・パイロットシンボルは、周波数分割多重（ＦＤＭ）される。他の態様において、ダウンリンク・パイロットシンボルは、直交周波数分割多重（ＯＦＤＭ）される。さらに他の態様において、ダウンリンク・パイロットシンボルは、符号分割多重（ＣＤＭ）される。一つの態様において、送信機ユニットＡ２３０は、シンボルのストリームを受け取って１又は複数のアナログ信号に変換し、更に、該アナログ信号を、調整（conditions）（例えば、増幅、フィルタリング及び／又は周波数アップコンバート）して、無線伝送に適しているアナログダウンリンク信号を生成する。次に、アナログダウンリンク信号は、アンテナ２４０を介して送信される。
【００１７】
ダウンリンク区間において、無線通信デバイス３００（すなわち、ＵＥ）は、アナログダウンリンク信号を受信し、そのアナログダウンリンク信号を受信機ユニット（ＲＣＶＲ）Ｂ３２０へ入力するアンテナ３１０を含む。一つの態様において、受信機ユニットＢ３２０は、そのアナログダウンリンク信号を、調整（例えば、フィルタリング、増幅及び周波数ダウンコンバート）して、“調整された（conditioned）”信号にする。次に、“調整された”信号は、サンプリングされる。受信機ユニットＢ３２０は、シンボル復調器Ｂ３３０と通信可能である。シンボル復調器Ｂ３３０は、受信機ユニットＢ３２０から出力された該“調整され”そして“サンプリングされた（sampled）”信号（すなわち、データシンボル）を、復調する。シンボル復調器Ｂ３３０は、プロセッサＢ３４０と通信可能である。プロセッサＢ３４０は、ボル復調器Ｂ３３０からダウンリンク・パイロットシンボルを受け取り、該ダウンリンク・パイロットシンボルのチャネル推定を実行する。一つの態様において、チャネル推定は、現在の伝播環境（current propagation environment）を特徴付ける処理である。シンボル復調器Ｂ３３０は、プロセッサＢ３４０から、ダウンリンク区間に関する周波数応答推定（frequency）を受け取る。シンボル復調器Ｂ３３０は、データシンボル推定を得るために、データシンボルのデータ復調を実行する。データシンボル推定は、送信されたデータシンボルの推定である。シンボル復調器Ｂ３３０はまた、ＲＸデータプロセッサＢ３５０と通信可能である。ＲＸデータプロセッサＢ３５０は、シンボル復調器Ｂ３３０からデータシンボル推定を受け取り、該データシンボル推定を、復調（すなわち、シンボルデマッピング（symbol demaps））、インターリーブ及び／又は復号化して、トラフィックデータを復元（recover）する。一つの態様において、シンボル復調器Ｂ３３０による処理及びＲＸデータプロセッサＢ３５０による処理は、それぞれ、シンボル変調器Ａ２２０による処理及びＴＸデータプロセッサＡ２１０による処理と、相補的である。
【００１８】
アップリンク区間（uplink leg）において、無線通信デバイス３００（すなわち、ＵＥ）は、ＴＸデータプロセッサＢ３６０を含んでいる。ＴＸデータプロセッサＢ３６０は、トラフィックデータを受け取って処理し、データシンボルを出力する。ＴＸデータプロセッサＢ３６０は、シンボル変調器Ｄ３７０と通信可能である。シンボル変調器Ｄ３７０は、該データシンボルとアップリンク・パイロットシンボルを受け取って、該データシンボルを該アップリンク・パイロットシンボルと多重化し、変調を実行して、シンボルのストリームを供給する。一つの態様において、シンボル変調器Ｄ３７０は、設定情報（configuration information）を供給するプロセッサＢ３４０と通信可能である。シンボル変調器Ｄ３７０は、送信機ユニットＢ３８０と通信可能である。
【００１９】
送信されるべき各々のシンボルは、データシンボル、ダウンリンク・パイロットシンボル、又は、ゼロの信号値である。アップリンク・パイロットシンボルは、各々のシンボル期間において連続的に送信されても良い。一つの態様において、アップリンク・パイロットシンボルは、周波数分割多重（ＦＤＭ）される。他の態様において、アップリンク・パイロットシンボルは、直交周波数分割多重（ＯＦＤＭ）される。さらに他の態様において、アップリンク・パイロットシンボルは、符号分割多重（ＣＤＭ）される。一つの態様において、送信機ユニットＢ３８０は、シンボルのストリームを受け取って１又は複数のアナログ信号に変換し、更に、該アナログ信号を、調整（conditions）（例えば、増幅、フィルタリング及び／又は周波数アップコンバート）して、無線伝送に適しているアナログアップリンク信号を生成する。次に、アナログアップリンク信号は、アンテナ３１０を介して送信される。
【００２０】
無線通信デバイス（ＵＥ）３００からのアナログアップリンク信号は、アンテナ２４０により受信され、そして、サンプルを得るために、受信機ユニットＡ２５０により処理される。一つの態様において、受信機ユニットＡ２５０は、そのアナログアップリンク信号を、調整（例えば、フィルタリング、増幅及び周波数ダウンコンバート）して、“調整された”信号にする。次に、“調整された”信号は、サンプリングされる。受信機ユニットＡ２５０は、シンボル復調器Ｃ２６０と通信可能である。シンボル復調器Ｃ２６０は、データシンボル推定を得るために、データシンボルのデータ復調を実行し、該アップリンク・パイロットシンボル及び該データシンボル推定を、ＲＸデータプロセッサＡ２７０へ供給する。データシンボル推定は、送信されたデータシンボルの推定である。ＲＸデータプロセッサＡ２７０は、無線通信デバイス３００から送信されたトラフィックデータを復元（recover）するために、該データシンボル推定を処理する。シンボル復調器Ｃ２６０は、プロセッサＡ２８０と通信可能である。プロセッサＡ２８０は、アップリンク区間上を送信される各々のアクティブな端末に関するチャネル推定を実行する。一つの態様において、複数の端末は、パイロットサブバンドセットがインターレースされる場合にそれらがそれぞれ割り当てられたパイロットサブバンドにおけるアップリンク区間上で同時にパイロットシンボルを送信しても良い。
【００２１】
プロセッサＡ２８０及びプロセッサＢ３４０は、それぞれ、アクセスポイント２００（例えば、エッジノード、基地局など）での動作及び無線通信デバイス３００（すなわち、ユーザ装置又はＵＥ）での動作を、命令（direct）（すなわち、制御、調整（coordinate）又は管理など）する。一つの態様において、プロセッサＡ２８０とプロセッサＢ３４０のいずれか又は両方は、プログラムコード及び／データの記憶のための１又は複数のメモリユニット（図示せず）に関連する。一つの態様において、プロセッサＡ２８０とプロセッサＢ３４０のいずれか又は両方は、それぞれ、アップリンク区間及びダウンリンク区間に関する周波数応答推定及びインパルス応答推定を得るための計算を実行する。
【００２２】
一つの態様において、無線リンク１００は、多元接続システム（multiple-access system）である。多元接続システム（例えば、ＦＤＭＡ、ＯＦＤＭＡ、ＣＤＭＡ、ＴＤＭＡなど）に関して、複数の端末は、同時にアップリンク区間上で送信する。一つの態様において、多元接続システムに関して、パイロットサブバンドは、異なる端末の間で共有されても良い。各々の端末に関するパイロットサブバンドが、動作バンド（operating band）の全体（場合によりバンド端を除いて）にわたる（span）場合に、チャネル推定技術が用いられる。そのようなパイロットサブバンド構造は、各々の端末に関する周波数ダイバーシティーを得るために望ましい。
【００２３】
本明細書で説明される技術は様々な方法により実装されても良いことを、当業者は理解するであろう。例えば、それら技術は、ハードウェア、ソフトウェア又はそれらの組み合わせにおいて実装されても良い。例えば、ハードウェア実装については、チャネル推定に用いられるプロセッシング・ユニットは、１又は複数の、特定用途向けＩＣ（ＡＳＩＣｓ）、デジタルシグナルプロセッサ（ＤＳＰｓ）、デジタル信号処理装置（ＤＳＰＤｓ）、プログラマブル・ロジック・デバイス（ＰＬＤｓ）、フィールド・プログラマブル・ゲート・アレイ（ＦＰＧＡｓ）、プロセッサ、コントローラ、マイクロコントローラ、マイクロプロセッサ、本明細書で説明される機能を実行するようにデザインされた他の電子ユニット又はそれらの組み合わせの中で実装されても良い。ソフトウェアに関して、実装は、本明細書で説明される機能を実行するモジュール（例えば、手続き（procedures）、関数（functions）など）を通しても良い。ソフトウェアコードは、メモリユニット中に記憶され、プロセッサＡ２８０及びプロセッサＢ３４０により実行されても良い。
【００２４】
本明細書で説明される様々な例となる論理ブロック、モジュール及び／又は回路は、１又は複数のプロセッサ・ユニット（すなわち、プロセッサ）で実装又は実行されても良い。プロセッサは、例えばマイクロプロセッサ、特定応用プロセッサ（specific application processor）、デジタルシグナルプロセッサ（ＤＳＰ）又はソフトウェアをサポートできる任意の他のハードウェア・プラットホームのような汎用プロセッサであっても良い。  ソフトウェアは、ソフトウェア、ファームウェア、ミドルウェア、マイクロコードと呼ばれようと又は任意の他の専門用語で呼ばれようと、インストラクションの任意の組み合わせ、データ構造若しくはプログラムコードを広く意味すると解釈されるべきである。あるいは、プロセッサは、特定用途向けＩＣ（ＡＳＩＣ）、プログラマブル・ロジック・デバイス（ＰＬＤ）、フィールド・プログラマブル・ゲート・アレイ（ＦＰＧＡ）、コントローラ、マイクロコントローラ、ステイト・マシン、個別ハードウェア・コンポーネントの組み合わせ又はそれらの任意の組み合わせであっても良い。本明細書で説明される様々な例となる論理ブロック、モジュール及び／又は回路はまた、ソフトウェアを記憶するためのコンピュータ読み取り可能な媒体を含んでも良い。また、コンピュータ読み取り可能な媒体は、１又は複数の記憶装置、伝送回線又はデータ信号を符号化する搬送波を含む。
【００２５】
図２は、外部ネットワーク２０５０へアクセスする階層的な無線通信システム２０００の一つの例を説明する。一つの例において、外部ネットワーク２０５０は、パケットデータネットワーク（Packet Data Network）（ＰＤＮ）である。無線通信システム２０００は、ユーザ装置（ＵＥ）２０１０を含む。一つの例において、ＵＥ２０１０は、例えば携帯電話のハンドセット（cellular handset）のような携帯端末である。無線通信システム２０００は、ＵＥ２０１０へアクセスを提供する少なくとも一つのソースエッジノード（source edge node）２０２０を含む。一つの例において、ソースエッジノード２０２０は、セルラーシステムのための基地局である。無線通信システム２０００は、ソースエッジノード２０２０へローカルネットワークサービスを提供する少なくとも一つのソース中間ノード（source intermediate node）２０３０である。一つの例において、ソース中間ノード２０３０は、セルラーシステムのための基地局コントローラ（ＢＳＣ）である。一つの例において、ソース中間ノード２０３０は、サービングＧＰＲＳサポートノード（ＳＧＳＮ）、無線ネットワークコントローラ（ＲＮＣ）又はモバイルマネージメントエンティティー（ＭＭＥ）である。無線通信システム２０００は、外部ネットワーク２０５０へ、ＵＥ−ソースエッジノード−中間ノードのリンクのためのアクセスを提供するソースコアノード２０４０を含む。一つの例において、外部ネットワーク２０５０は、インターネット又は公衆交換電話網（ＰＳＴＮ）などである。一つの態様において、外部ネットワーク２０５０は、他の諸ユーザ２０６０へアクセスを提供する。一つの態様において、無線通信システム２０００は、ターゲットエッジノード（target edge node）２０９０及びターゲット中間ノード（target intermediate node）２０８０を含む。一つの例において、ＵＥ２０１０がサービスエリアの内部を移動するにつれて、ソースコアノード２０４０からターゲットコアノード２０７０へのモビリティー・イベント（mobility event）が要求される。一つの態様において、モビリティー・イベントは、ゲートウェイ・リロケーションである。他の態様において、モビリ
ティー・イベントは、ゲートウェイ・リロケーションに結合された（combined）ハード・ハンドオーバー（hard handover）である。一つの態様において、ソースコアノード及びターゲットコアノードは、同一場所に配置される（co−located）。
【００２６】
一つの態様において、ＵＥ２０１０のためのアクセスを提供するアクセス・システムは、ソースエッジノード２０２０を含む。他の態様において、アクセス・システムは、ソースエッジノード２０２０及びソース中間ノード２０３０を含む。アクセス・システムの特性は、本開示の精神又は範囲に影響を与えることなく、例えばシステム・アプリケーション、デザイナー又はユーザの選択のような（ただし、制限ではない。）様々な要因に、基づくことができることを、当業者は理解するであろう。ソースコア２０４０からターゲットコアノード２０７０へのリロケーションは、様々な理由で開始されても良い。一つの態様において、アクセス・システムは、ゾーン（zones）、ネットワーク又は領域（regions）などに分割され、ＵＥ２０１０がゾーン、ネットワーク又は領域などを移動するにつれて、ソースコア２０４０からターゲットコアノード２０７０へのリロケーションが開始される。一つの態様において、ＵＥ２０１０がリロケーションを開始する。一つの例において、リロケーションのための理由は、観測されたネットワーク遅延（observed network delays）、ハンドオフの数又は移動距離（distance traveled）などに基づく。一つの態様において、どのようにＵＥ２０１０が外部ネットワーク２０５０に登録されるかは、リロケーションが実行されるか実行されないかを決定する。一つの例において、ＵＥ２０１０は、接続される外部ネットワーク２０５０（例えば、ローカル・オペレータ（local operator）、リモート・オペレータ（remote operator）、仮想移動体ネットワーク（Mobile Virtual Network）（ＭＶＮ）、仮想プライベート・ネットワーク（Virtual Private Network）（ＶＰＮ）など）のタイプを識別するために、識別子のタイプ（例えば、アクセスポイント名（Access Point Name）（ＡＰＮ）、ネットワークアクセス識別子（Network Access Identifier）（ＮＡＩ）など）を使用する。一つの例において、該識別子は、モビリティー・イベントの間のＩＰアドレス維持の望ましさ（desirability）、又は、ＩＰアドレスが維持されない可能性がある場合におけるゲートウェイ・リロケーションの望ましさ（desirability）に関する情報を含む。例えば、ＵＥ２０１０が移動する場合に、固定ローカルブレークアウト（fixed local breakout）ＡＰＮタイプ１は、リロケートされないローカルブレークアウト（local breakout）を指すfixed.local.breakout@domainを示す（すなわち、ローカルブレークアウトのＩＰアドレスが固定にとどまる）。同様に、例えば、ＵＥ２０１０が移動する場合に、移動ローカルブレークアウト（moving local breakout）ＡＰＮタイプ２は、リロケートされることができるローカルブレークアウトを指すmoving.local.breakout@domainを示す（すなわち、ローカルブレークアウトのＩＰアドレスは、変更できる）。一つの例において、他のＡＰＮタイプは、要求されたＩＰ接続性（connectivity）のタイプ（例えば、ＩＰｖ６、ＩＰｖ４など）に基づく。追加的なＡＰＮタイプは、本開示の精神又は範囲に影響を与えることなく、定義されることができることを、当業者は理解するであろう。一つの例において、ターゲットコアノードは、ＰＤＮＧＷ（パケットデータネットワークゲートウェイ）であり、移動ローカルブレークアウトは、移動ローカルブレークアウトＰＤＮ（���ケットデータネットワーク）コネクションである。一つの態様において、ターゲットコアノードは、ハード・ハンドオーバーの完了の後に、新たなＩＰアドレスを割り当てる。
【００２７】
図３ａ，３ｂ及び３ｃは、異なるゲートウェイ・アーキテクチャーを持つ無線通信システムの三つの例（３ａ，３ｂ，３ｃ）を説明する。図３ａに示される例において、ＵＥは、４つのアクセス・システム、例えば、ＧＰＲＳ／ＵＭＴＳ、ＨＲＰＤ（高速パケットデータ（High Rate Packet Data））ＤＯ（データ最適化（Data Optimization））、ＷｉＭＡＸ及びＷＬＡＮのうちの一つを経由して、インターネットにアクセスする。４つのアクセス・システムの各々に関して、それぞれ、ソースコアノード（すなわち、ゲートウェイ）は、ＧＧＳＮ、ＰＤＳＮ（パケットデータサービングノード（Packet Data Serving Node））、ＣＳＮ（コネクティビティーサービスネットワーク（Connectivity Service Network））及びＰＤＩＦ／ＰＤＧである。ここで、ＰＤＩＦは、パケットデータインターネットワーキング機能（Packet Data Interworking Function）として定義され、ＰＤＧは、パケットデータゲートウェイ（Packet Data Gateway）として定義される。これら４つのアクセス・システム間の移動がＵＥに対してシームレスになされるように、モバイルＩＰ（Mobile IP）（又はプロキシモバイルＩＰ）は、４つのアクセス・システム上をオーバーレイされることができる。その量（quantity）及び具体的な（specific）アクセス・システムが、本開示の精神又は範囲に影響を与えることなく、変化できることを、当業者は理解するであろう。
【００２８】
図３ｂに示される例において、同一のタイプの複数のソースコアノード（すなわち、ゲートウェイ）が用いられる。一つの例において、該複数のソースコアノードは、パケットデータネットワークゲートウェイ（ＰＤＮＧＷ）の複数のインスタンスである。この例において、アクセス・システムは、システム・アーキテクチャー・エボリュエーション（System Architecture Evolution）（ＳＡＥ）である。他のソースコアノード及び関連するアクセス・システムが、本開示の精神又は範囲に影響を与えることなく、使用されることができることを、当業者は理解するであろう。例えば、複数のソースコアノードは、ＧＧＳＮであり、関連するアクセス・システムは、ＵＭＴＳである。
【００２９】
図３ｃに示される例において、複数のソースコアノード（すなわち、ゲートウェイ）の階層が用いられる。その階層は、サービングゲートウェイの下位階層及びゲートウェイの上位階層を含んでいる。一つの例において、ゲートウェイの上位階層は、複数のＰＤＮＧＷであり、アクセス・システムは、ＳＡＥである。一つの態様において、サービングゲートウェイあ、ゲートウェイの上位階層へ接続されるＵＥに対するローカル・アンカーリング（local anchoring）を提供する。サービングゲートウェイと、ゲートウェイの上位階層との間のインターフェースは、同一の無線通信システムの内部にあっても、異なる無線通信システムの内部にあっても良い。
【００３０】
図４は、ゲートウェイ・リロケーション手続きの一つの例を説明する。図４に説明されるゲートウェイ・リロケーション手続きは、ターゲットコアノード２０７０との新たな関連付けを可能にするために、ソース中間ノード２０３０及びソースコアノード２０４０を利用する。一つの例において、ソースコアノード２０４０は、もはやＵＥ２０１０にとって最適ではなく、次のステップがとられる。  
１）ゲートウェイ・リロケーション手続きを開始し、ターゲットコアノードを特定する。一つの例において、中間ノードがゲートウェイ・リロケーション手続きを開始する。一つの例において、中間ノードがターゲットコアノードを特定する。  
２）ＵＥは、ハンドオフを通知される。  
３）ＵＥは、ターゲットコアノードに関連付けられ、ターゲットコアノードは、ＵＥへ、新たなＩＰアドレスを割り当てる。  
４）ＵＥは、通信を維持するために、新たなＩＰアドレスを、そのホームエージェント（ＨＡ）へ登録する。一つの態様において、ＵＥは、新たなＩＰアドレスを、コアノードへ登録する。ここで、ホームエージェントは、コアノードの一つの例である。他の態様において、コアノードは、ＰＤＮＧＷである。  
５）ゲートウェイ・リロケーション手続きが完了する。
【００３１】
図５ａ及び５ｂは、アクティブ・モード・リロケーション手続きの間にゲートウェイノードのリロケーションをサポートするためのゲートウェイ・リロケーション手続きの一つの例を説明する。図５ａ及び５ｂにおいて、ソースｅＮｏｄｅＢは、ソースエッジノード２０２０（図２に示される）の一つの例であり、ターゲットｅＮｏｄｅＢは、ターゲットエッジノード２０９０（図２に示される）の一つの例であり、ソースＭＭＥは、ソース中間ノード２０３０（図２に示される）の一つの例であり、ターゲットＭＭＥは、ターゲット中間ノード２０８０（図２に示される）の一つの例である。一つの態様において、ソースサービングゲートウェイ（Source Serving gateway）及び古いＰＤＮＧＷは、ソースコアノード２０４０（図２に示される）及びターゲットサービングゲートウェイ（Target Serving gateway）の例であり、新しいＰＤＮＧＷは、ターゲットコアノード２０７０（図２に示される）の例である。
【００３２】
図５ａ及び５ｂにおいて説明されるゲートウェイ・リロケーション手続きは、新しいＰＤＮＧＷとの関連付けを可能にするために、ソースＭＭＥ、ターゲットＭＭＥ、ソースサービングゲートウェイ及びターゲットサービングゲートウェイを利用する。一つの例において、古いＰＤＮＧＷは、もはやＵＥにとって最適ではなく、次のステップがとられる。  
１）ソースｅＮｏｄｅＢは、ターゲットｅＮｏｄｅＢに対するハンドオーバーを実行することを決定する。これは、例えば、ターゲットｅＮｏｄｅＢに対するＸ２接続性がないことによって、又は、ターゲットｅＮｏｄｅＢがソースＭＭＥに対するＳ１＿ＭＭＥ接続性を持たないことを示すソースｅＮｏｄｅＢにおける設定（configuration）によって、又は、Ｘ２ベースのハンドオーバーが成功した後にターゲットｅＮｏｄｅＢからのエラー表示（error indication）によって、トリガーされることができる。  
２）ソースｅＮｏｄｅＢは、リロケーション・リクワイアード（Relocation Required）を、ソースＭＭＥへ送信する。  
３）ソースＭＭＥは、ターゲットＭＭＥを選択し、それへ、該ソースＭＭＥにおけるＵＥコンテキスト（context）を含むフォワード・リロケーション・リクエスト・メッセージ（Forward Relocation Request message）を送信する。  
４）ターゲットＭＭＥは、サービングＧＷを変更するかどうか決定し、そして、ターゲットサービングＧＷを選択する。ターゲットＭＭＥは、ターゲットサービングＧＷへ、ＵＥの確立されたベアラー（bearers）に関する情報及びＰＤＮＧＷの同一性（identity）及びそのＴＥＩＤ（トンネル・エンドポイント識別子（Tunnel Endpoint Identifier））を含むクリエイト・ベアラー・リクエスト・メッセージ（Create Bearer Request message）を送信する。  
また、メッセージ４ａは、リロケーションの間にＰＤＮＧＷがリロケートされるべき “ローカル・ブレークアウト・ベアラー（local breakout bearers）”のリスト［｛ＡＰＮ及び／又は新たなＰＤＮＧＷアドレス，ラベル，ＱｏＳ情報（info），. ....｝のリスト］を含む。  
これら“ローカル・ブレークアウト・ベアラー”に関して、ターゲットサービングＧＷは、ベアラー・アクティベーション（bearer activation）を要求するために、クリエイト・ベアラー・リクエスト（Create Bearer Request）［４ａ＿１］ ［｛ＡＰＮ，ラベル，ＱｏＳ情報（info）のリスト｝］を送信することによって、新しいＰＤＮＧＷと連絡をとる。ＰＤＮＧＷは、要求されたベアラーのために用いられるべき（１又は複数の）ＰＤＮアドレスを割り当てる。  
新しいＰＤＮＧＷは、新たなベアラー［４ａ＿２］ ［｛ＡＰＮ，ラベル，ＱｏＳ情報（info）｝のリスト］のためのポリシー及びチャージング・ルール機能（Policy and Charging Rule Function）（ＰＣＲＦ）からの許可を要求しても良い。  
もし許可された場合には、ＰＤＮＧＷは、ターゲットサービングＧＷへ、ベアラー・アクティベーション・リクエスト（Bearer Activation Request）［４ａ＿３］ ［｛ベアラーＩＤ，ＰＤＮＧＷでのＴＥＩＤ，ラベル，ＱｏＳ情報（info），（１又は複数の）ＰＤＮアドレス｝のリスト］を送信し、ターゲットサービングＧＷは、新たなＳ５／Ｓ８ベアラーを、ＵＥへ向かう存在するベアラーとマッピングする。  
ターゲットサービングＧＷは、ベアラー・アクティベーション・レスポンス（Bearer Activation Response）［４ａ＿４］ ［｛ターゲットサービングＧＷでのＴＥＩＤ｝のリスト］で、新しいＰＤＮＧＷへ応答する（ベアラーごとに一つ（one per bearer））。  
注意：一般的に、新しいＰＤＮＧＷは、ターゲットサービングＧＷと同一場所に配置される（collocated）。  
ターゲットサービングＧＷは、Ｓ１＿Ｕリファレンス・ポイント（reference point）上のアップリンク・トラフィックのためにＴＥＩＤを割り当てる（ベアラーごとに一つのＴＥＩＤ）。ターゲットサービングＧＷは、これら新たに割り当てられたＴＥＩＤを含むアクノリッジメント・メッセージ（acknowledgement message）を、もとのターゲットＭＭＥへ送信する。  
５）ターゲットＭＭＥは、ターゲットｅＮｏｄｅＢへ、リロケーション・リクエスト・メッセージ（Relocation Request message）を送信する。このメッセージは、それらベアラーに関する情報及びセキュリティー・コンテキスト（security context）を含む該ターゲットｅＮｏｄｅＢにおけるＵＥコンテキストを作成する。ターゲットｅＮｏｄｅＢは、ＭＭＥへ、リロケーション・リクエスト・アクノレッジ・メッセージ（Relocation Request Acknowledge message）を送信する。これは、Ｓ１＿Ｕリファレンス・ポイント上のダウンリンク・トラフィックのためにターゲットｅＮｏｄｅＢにて割り当てられるＴＥＩＤを含む（ベアラーごとに一つのＴＥＩＤ）。  
６）  インダイレクト・フォワーディング（indirect forwarding）が用いられる場合には、ターゲットＭＭＥは、ターゲットサービングＧＷにおけるフォワーディング・パラメータ（forwarding parameters）をセットアップする。  
７）  ターゲットＭＭＥは、ソースＭＭＥへ、フォワード・リロケーション・レスポンス・メッセージ（Forward Relocation Response message）を送信する。このメッセージはまた、ステップ４においてＰＤＮＧＷが割り当てられた “ローカル・ブレークアウト・ベアラー”のための（１又は複数の）新たなＰＤＮアドレスを運ぶ。  
８）  インダイレクト・フォワーディング（indirect forwarding）が用いられる場合には、ソースＭＭＥは、ターゲットサービングＧＷに対して用いられるトンネルに関するソースサービングＧＷを更新する。  
９）  ソースＭＭＥは、ソースｅＮｏｄｅＢへ、リロケーション・コマンド・メッセージ（Relocation Command message）を送信する。このメッセージはまた、ステップ４においてＰＤＮＧＷが割り当てられた “ローカル・ブレークアウト・ベアラー”のための（１又は複数の）新たなＰＤＮアドレスを運ぶ。  
１０）   ハンドオーバー・コマンド（Handover Command）は、ＵＥへ送信される。このメッセージはまた、ステップ４においてＰＤＮＧＷが割り当てられた “ローカル・ブレークアウト・ベアラー”のための（１又は複数の）新たなＰＤＮアドレスを運ぶ  。
【００３３】
ＵＥは、トラッキング・エリア・アップデート（Tracking Area Update）を実行する必要があるであろうから、ＣＮリロケーションが実行されていることを知っているようになる必要がある（下記参照（see below））。ＵＥは、古いセル（cell）から離れ、新たなセルに同期する。
【００３４】
１０ａ）  モバイルＩＰを用いるサービスのためのサービス継続性を確実にするために、ＵＥは、ホームエージェント（ＨＡ）に向けて、バインディング・アップデート（Binding Update）を送信し、ＨＡに、新たに割り当てられたＣｏＡ（ＵＥに関する一時的なＩＰアドレスである気付けアドレス（care of address））を知らせても良い。このメッセージ１０ａ）は、その代わりに、ステップ１２の前又は後で、無線ハンドオーバー（radio handover）の後に送信されることができることは、注意すべきである。  
１１）  ソースｅＮｏｄｅＢは、ソースｅＮｏｄｅＢからターゲットｅＮｏｄｅＢへのダウンリンクデータのフォワーディングを開始しても良い。これは、ダイレクト又はインダイレクトのフォワーディングのいずれかであっても良い。  
１２）  ＵＥがターゲットセルへの同期に成功した後に、それは、ターゲットｅＮｏｄｅＢへ、ハンドオーバー・コンファーム・メッセージ（Handover Confirm message）を送信する。ソースｅＮｏｄｅＢからフォワードされたダウンリンク・パケットは、ＵＥへ送信されることができる。同様に、ターゲットサービングＧＷ及びＰＤＮＧＷへフォワードされるアップリンク・パケットは、ＵＥから送信されることができる。  
１２ａ）  ホームエージェントは、バインディング・アップデート（Binding Update）を応答する。ＵＥは、新たな無線リンク（radio link）を経由して、無線ハンドオーバーの後で、バインディング・アップデート（Binding Update）を受信する。バインディング・アクノリッジメント（Binding Acknowledgement）は、その代わりに、無線ＨＯが発生する早く前に、すでに送信されても良い。  
注意：他の代わりの手段（another alternative）は、古いローカルブレークアウトアドレス及び新しいローカルブレークアウトアドレスの両方へ送信される（すなわち、バイキャストされる（bicasted））べきバインディング・アクノリッジメント（Binding Acknowledgement）に関するものである。これは、ＵＥが、ステップ１２のタイミングに依存して、古いリンク上、又は、新しいリンク上のいずれかで受信するであろう。  
１３）  ターゲットｅＮｏｄｅＢは、ターゲットＭＭＥへ、リロケーション・コンプリート・メッセージ（Relocation Complete message）を送信する。  
１４）  ターゲットＭＭＥは、ソースＭＭＥへ、フォワード・リロケーション・コンプリート・メッセージ（Forward Relocation Complete）を送信する。応答して、ソースＭＭＥは、ターゲットＭＭＥへ、フォワード・リロケーション・コンプリート・アクノレッジ（Forward Relocation Complete Acknowledge）を送信する。  
１５）  ターゲットＭＭＥは、ターゲットサービングＧＷへ、アップデート・ベアラー・リクエスト（Update Bearer Request）を送信する。これは、ダウンリンク・トラフィックのためにターゲットｅＮｏｄｅＢにて割り当てられたＴＥＩＤを含む。  
１６）  ターゲットサービングＧＷは、ＰＤＮＧＷからのダウンリンク・トラフィックのためのＴＥＩＤを割り当てる（ベアラーごとに一つ）。それは、それら割り当てられたＴＥＩＤを含むアップデート・ベアラー・リクエスト（Update Bearer Request）を、ＰＤＮＧＷへ送信する。ＰＤＮＧＷは、新たに受信されたＴＥＩＤを用いて、ターゲットサービングＧＷへダウンリンク・パケットを送信することを開始する。これらダウンリンク・パケットは、ターゲットサービングＧＷ及びターゲットｅＮｏｄｅＢを経由して、新たなダウンリンク・パスを用いるであろう。アップデート・ベアラー・レスポンス（Update Bearer Response）は、ターゲットサービングＧＷへ、送信される。  
１７）  ターゲットサービングＧＷは、ターゲットＭＭＥへアップデート・ベアラー・レスポンス（Update Bearer Response）を送信する。  
１８）  ソースＭＭＥがフォワード・リロケーション・コンプリート・メッセージ（Forward Relocation Complete message）を受信した後に、それは、リリース・リソース・メッセージ（Release Resources message）を、ソースｅＮｏｄｅＢへ送信する。ソースｅＮｏｄｅＢは、ソースｅＮｏｄｅＢにおける資源を解放することができる。このメッセージのタイミング及び資源の解放のタイミングは、ＦＦＳである。  
１９）  ターゲットｅＮｏｄｅＢへのハンドオーバーが完了するとすぐに、ＵＥは、トラッキング・エリア・アップデート・リクエスト・メッセージ（Tracking Area Update Request message）を送信する。これは、ターゲットＭＭＥへ到着する。
【００３５】
２０）  ターゲットＭＭＥは、ＵＥを任意的に（optionally）認証する。  
２１）  
ａ）  ターゲットＭＭＥは、アップデート・ロケーション・メッセージ（Update Location message）を送信することによって、ＨＳＳを更新する。  
ｂ）  ＨＳＳは、ソースＭＭＥへ、キャンセル・ロケーション・メッセージ（Cancel Location message）を送信する。  
ｃ）  ソースＭＭＥは、ＨＳＳへ、キャンセル・ロケーションＡｃｋメッセージ（Cancel Location Ack message）を送信する。  
ｄ）  ＨＳＳがキャンセル・ロケーションＡｃｋメッセージ（Cancel Location Ack message）を受信した後に、それは、ターゲットＭＭＥへ、アップデート・ロケーションＡｃｋ（Update Location Ack）を送信する。  
ｅ）  ソースＭＭＥは、デリート・ベアラー・リクエスト・メッセージ（Delete Bearer Request message）を送信することによって、ソースサービングＧＷにおけるベアラーを解放する。  
ｆ）  ソースサービングＧＷは、ソースＭＭＥへ、デリート・ベアラー・レスポンス（Delete Bearer Response）を送信する。  
２２）  ターゲットＭＭＥは、ＵＥへ、ターゲットＭＭＥに割り当てられた新たなＳ−ＴＭＳＩを含むトラッキング・エリア・アップデート・アクセプト（Tracking Area Update Accept）を送信する。  
２３）  ＵＥは、トラッキング・エリア・アップデート・コンプリート・メッセージ（Tracking Area Update Complete message）を送信することによって、新たなＳ−ＴＭＳＩを受け入れる（acknowledge）。
【００３６】
図６は、レイヤ２（Ｌ２）シグナリング中に組み込まれたＩＰ割り当てを持つ３ＧＰＰシステム内のゲートウェイ・リロケーション手続きの一つの例を説明する。一つの態様において、中間ノード（古いｅＮＢと新しいＭＭＥとを含んでいる）は、ゲートウェイのリロケーションが有益（beneficial）であろうこと、そして、リロケーション・リクエスト信号（Reloc Req signal）を用いた処理（例えば、図６に示されるステップ１−８）を開始することを決定する。新しいゲートウェイが割り当てられ、コンテキストが新しいゲートウェイ及び他のサポーティング・ノード（例えば、新しいＭＭＥ）へ提供される。一つの態様において、ＵＥのための新たなＩＰアドレス（ＣｏＡ）は、新しいゲートウェイにより割り当てられる（例えば、ステップ３の後で）。一つの態様において、新たなＩＰアドレス（ＣｏＡ）は、図６に示されるステップ５，８，９，１０により、ＵＥへ伝達される。一つの態様において、図６に示されるステップ１０の後で、ＵＥは、新たなＣｏＡを持つＢＵ（バインディング・アップデート（binding update））リクエスト（Req）を、ＨＡ（ホームエージェント）へ送信し、そして、新しいエアーリンクに同調（tunes）する。ローカルブレークアウトは、古いゲートウェイから新しいゲートウェイへ切り替える。
【００３７】
図７は、ＩＰシグナリングを使ってなされるＩＰ割り当てを持つ３ＧＰＰシステム内のゲートウェイ・リロケーション手続きの一つの例を説明する。図７は、図６に示されたものとは異なる時間アドレス割り当て手続き（time address allocation procedure）を示す。一つの態様において、ＵＥのための新たなＩＰアドレス（ＣｏＡ）は、標準のＩＰ割り当てメカニズムを用いて、新しいゲートウェイに割り当てられ、ＵＥへ伝達される（例えば、図７のステップ１１において）。一つの態様において、図７に示されるステップ１２の後で、ＵＥは、新たなＣｏＡを持つＢＵリクエスト（BU Req）を、ＨＡ（ホームエージェント）へ送信し、古いエアーリンクを解放し、そして、新しいエアーリンクに同調する。他の態様において、ＭＩＰ ＢＵは、図７に示されるステップ１４の後で、送信される。
【００３８】
図８は、３ＧＰＰシステムから３ＧＰＰ２ ＨＲＰＤシステムへのゲートウェイ・リロケーション手続きの一つの例を説明する。一つの態様において、ＵＥは、異なる無線システムのゲートウェイの間で（例えば、ＳＡＥからＨＲＰＤへ）リロケートされる。一つの態様において、ＳＡＥ（例えば、ｅＵＴＲＡＮ及びＭＭＥ）における中間ノードは、ＵＥが、まず、ＡＫＡ−ＡＡＡ（認証と鍵共有プロトコル−認証と許可（Authentication & Key Agreement Protocol-Authentication and Authorization），例えば図８に示されるステップ３，４）を使って認証し、次に、ターゲットゲートウェイ（例えば、ＰＤＳＮ）とのＰＰＰ（ポイント・ツー・ポイント・プロトコル（Point-to-Point Protocol））コネクションをセットアップし、そして、ＩＰアドレスが割り当てられる（例えば、図８に示されるステップ５）ことを可能にする。次に、ＵＥは、モバイルＩＰを登録する。一つの態様において、ＵＥのための新たなＩＰアドレス（ＣｏＡ）は、ＰＤＳＮにより割り当てられる（例えば、図８に示されるステップ５）。一つの例において、図８に示されるステップ６の後で、ＵＥは、新たなＣｏＡを持つＢＵリクエスト（BU Req）を、ＨＡ（ホームエージェント）へ送信し、古いＬＴＥエアーリンク（air link）を解放し、そして、新しいＨＲＰＤエアーリンクに同調する。ローカルブレークアウトは、古いＳＡＥゲートウェイ（図示せず）からターゲットＰＤＳＮへ切り替える。
【００３９】
図９は、リロケートされるゲートウェイの例を示す無線通信システムのアーキテクチャーの第１の例を説明する。図９は、ＩＰベースのコネクションの可能なタイプを示す。一つの態様において、可能ではあるが、すべてのＩＰベースのコネクションが同時に用いられるとは限らない。一つの態様において、ＩＰベースのトンネリング（ＩＰｓｅｃ／ＭＩＰ）が存在する。例として、示されるＩＰアクセス・システムは、ＬＴＥアクセス及び他のアクセスである。一つの態様において、各々のＩＰコネクションは、任意のＩＰアクセス・システムを経由するものである。一つの態様において、すべてのＩＰコネクションは、接続されたＩＰアクセス・システムの内部のモビリティー（mobility）を使用することができる。一つの態様において、ＭＩＰベースのＩＰコネクションは、アクセス・システム間のモビリティーを使用することができる。
【００４０】
図１０は、リロケートされるゲートウェイの例を示す無線通信システムのアーキテクチャーの第２の例を説明する。一つの態様において、ローミング（roaming）が、任意の信頼されるＩＰベースのアクセス・システムへ向けられることが可能である。一つの例において、ホームネットワーク認証は、ａ）ホームネットワークによる一般的なＡＡＡ認証、又は、ｂ）ＭＭＥ／ＳＧＳＮによる訪問先ネットワーク（Visited Network）３ＧＰＰ認証のいずれかに基づくことができる。一つの態様において、サービスに接続するための異なる方法が可能である。すべてのコネクションは、ＩＰアクセス・システムの観点（point of view）からローカルブレークアウトとして見られる。一つの態様において、例えば、ａ）オーバーレイなし（no overlay）（すなわち、直接的にＩＰアクセス・システムからのローカルブレークアウト）、ｂ）ＩＰｓｅｃオーバーレイ（すなわち、訪問先（visited）又はホーム（home）のネットワーク（ｎｗ）のｅＰＤＧ／ＰＤＩＦでのアンカー（anchor））、又は、ｃ）モバイルＩＰオーバーレイ（mobile IP overlay）（すなわち、訪問先又はホーム（home）のネットワーク（ｎｗ）のＨＡ／ＰＤＮＧＷでのアンカー）のような（ただし、制限ではない。）異なるオーバーレイが存在できる。
【００４１】
図１１は、リロケートされるゲートウェイの例を示す無線通信システムのアーキテクチャーの第３の例を説明する。一つの態様において、ＧＴＰ（ＧＰＲＳトンネリングプロトコル）ベースのローミングは、３ＧＰＰベースのコア・ネットワーク（Core Network）と３ＧＰＰアクセスネットワークとの間である。図１１は、ホームネットワークへ及び訪問先ネットワークへのＧＴＰベースのコネクション、ＧＴＰトンネリングなどを含むＧＴＰベースのコネクションの可能なタイプを示す。一つの態様において、ｖＰＣＲＦが要求され、Ｓ９インターＰＬＭＮ（パブリック・ランド・モバイル・ネットワーク（Public Land Mobile Network））インターフェースが、訪問先ネットワークアンカーされたＧＴＰコネクションのみのために要求される。一つの態様において、訪問先ネットワークにおけるＭＭＥ／ＳＧＳＮ及びＳ６ａインターＰＬＭＮインターフェースが、ＧＴＰターミネーション（termination）の代わりに、任意の３ＧＰＰアクセスのために要求される。説明された無線通信システムアーキテクチャー及び例及び他の無線通信システムアーキテクチャーが、本開示の精神又は範囲に影響を与えることなく、可能であることを、当業者は理解するであろう。
【００４２】
図１２は、ＵＥがソースコアノードを経由する少なくとも一つの初期外部ネットワークコネクションを含む外部ネットワークへ、ゲートウェイ・リロケーションを提供するための一つの例のフローチャートである。ブロック１２１０において、モビリティー・イベントを初期化することによって開始する。一旦、モビリティー・イベントが初期化されると、次に、ブロック１２２０において、少なくとも一つの新たな外部ネットワークコネクションを生成するための、ソースコアノード経由から第１のターゲットコアノード経由への、少なくとも一つの初期外部ネットワークコネクションの再割り当て（reallocating）がなされる。ブロック１２３０において、少なくとも一つの新たな外部ネットワークコネクションについて、ＵＥへの少なくとも一つの新たなＩＰアドレスの割り当てがなされる。そして、ブロック１２４０において、少なくとも一つの新たなＩＰアドレスが用いられる。
【００４３】
図１３は、ＵＥがソースコアノードを経由する少なくとも一つの初期外部ネットワークコネクションを含む外部ネットワークへ、ゲートウェイ・リロケーションを提供するのに適しているデバイス１３００である。一つの態様において、デバイス１３００は、ブロック１３１０，１３２０，１３３０及び１３４０において本明細書で説明されたようなゲートウェイ・リロケーションの異なる態様を提供するように構成された１又は複数のモジュールを含む少なくとも一つのプロセッサにより実装される。例えば、各々のモジュールは、ハードウェア、ソフトウェア又はそれらの任意の組み合わせを含む。一つの態様において、デバイス１３００はまた、少なくとも一つのプロセッサと通信可能な少なくとも一つのメモリにより実行される。
【００４４】
図１４は、ゲートウェイ・リロケーション手続きを実行するためのプロセッサ１４１０及びメモリ１４２０を含むデバイス１４００を示す。一つの態様において、デバイス１４００は、図１２に示されるフローチャートを実行する。一つの態様において、デバイス１４００は、二つ以上のプロセッサ及び／又は二つ以上のメモリを含む。
【００４５】
開示された態様の前の説明は、当業者が本開示を製造又は使用できるようにするために提供される。これら態様の様々な修正が、当業者には容易に明らかになるであろう。また、本明細書で定義された一般的な原理は、本開示の精神又は範囲を逸脱することなく、他の態様に適用されても良い。 
以下に、本願出願の当初の特許請求の範囲に記載された各請求項に対応する発明を付記する。 
［１］ユーザ装置（ＵＥ）がソースコアノードを経由する少なくとも一つの初期外部ネットワークコネクションを含む外部ネットワークへゲートウェイ・リロケーションを提供するための方法において、 
モビリティー・イベントを初期化することと、 
少なくとも一つの新たな外部ネットワークコネクションを生成するために、前記少なくとも一つの初期外部ネットワークコネクションを、前記ソースコアノード経由から、第１のターゲットコアノード経由へリロケーションすることと、 
前記少なくとも一つの新たな外部ネットワークコネクションについて、少なくとも一つの新たなＩＰアドレスを、前記ＵＥへ割り当てることと、 
前記少なくとも一つの新たなＩＰアドレスを使用することを含む方法。 
［２］前記外部ネットワークは、パケットデータネットワークである［１］に記載の方法。 
［３］前記少なくとも一つの初期外部ネットワークコネクションのうちの一つ又は前記少なくとも一つの新たな外部ネットワークコネクションのうちの一つは、ＰＤＮコネクションである［２］に記載の方法。 
［４］前記モビリティー・イベントは、ゲートウェイ・リロケーションである［１］に記載の方法。 
［５］前記ゲートウェイ・リロケーションは、３ＧＰＰシステムにより実行される［４］に記載の方法。 
［６］前記ゲートウェイ・リロケーションは、３ＧＰＰシステムにおいて部分的に実行され、及び、３ＧＰＰ２ ＨＲＰＤシステムにおいて部分的に実行される［４］に記載の方法。 
［７］前記モビリティー・イベントは、ゲートウェイ・リロケーションに結合されたハード・ハンドオーバーである［１］に記載の方法。 
［８］前記第１のターゲットコアノードは、前記ハード・ハンドオーバーの完了の後に、前記少なくとも一つの新たなＩＰアドレスを割り当てる［７］に記載の方法。 
［９］前記ソースコアノードは、サービングゲートウェイである［１］に記載の方法。 
［１０］前記ソースコアノード及び前記第１のターゲットコアノードは、ＰＤＮＧＷである［１］に記載の方法。 
［１１］前記ソースコアノード及び前記第１のターゲットコアノードは、同一場所に配置される［１］に記載の方法。 
［１２］前記少なくとも一つの新たなＩＰアドレスを登録することを更に含む［１］に記載の方法。 
［１３］前記少なくとも一つの新たなＩＰアドレスは、コアノードに登録される［１２］に記載の方法。 
［１４］前記コアノードは、ホームエージェントである［１３］に記載の方法。 
［１５］前記少なくとも一つの新たなＩＰアドレスは、モバイルＩＰで、そのホームエージェントに登録される［１４］に記載の方法。 
［１６］前記コアノードは、ＰＤＮＧＷである［１３］に記載の方法。 
［１７］前記少なくとも一つの新たなＩＰアドレスの割り当てのために、無線資源管理シグナリングが用いられる［１］に記載の方法。 
［１８］前記少なくとも一つの新たなＩＰアドレスは、移動ローカルブレークアウトに関連付けられる［１］に記載の方法。 
［１９］前記第１のターゲットコアノードは、ＰＤＮＧＷであり、前記移動ローカルブレークアウトは、移動ローカルブレークアウトＰＤＮコネクションである［１８］に記載の方法。 
［２０］前記第１のターゲットコアノードを識別するための識別子を用いる［１８］に記載の方法。 
［２１］前記識別子は、アクセスポイント名（ＡＰＮ）又はネットワークアクセス識別子（ＮＡＩ）のうちの一つである［２０の記載の方法。 
［２２］前記第１のターゲットコアノードは、ＧＧＳＮ、ＰＤＳＮ、ＣＳＮ、ＰＤＩＦ／ＰＤＧ又はＰＤＮＧＷのうちの一つである［１］に記載の方法。 
［２３］前記少なくとも一つの新たなＩＰアドレスを割り当てるために、レイヤ２シグナリングが用いられる［１］に記載の方法。 
［２４］前記少なくとも一つの新たなＩＰアドレスを割り当てるために、ＩＰシグナリングが用いられる［１］に記載の方法。 
［２５］第２のターゲットコアノードが、ベアラー・アクティベーションを要求するために、前記第１のターゲットコアノードと連絡をとることを更に含む［１］に記載の方法。 
［２６］前記第１のターゲットコアノードへ、クリエイト・ベアラー・リクエストを送信することを更に含む［２５］に記載の方法。 
［２７］前記第１のターゲットコアノードが、ベアラーのための許可を要求することを更に含む［２６］に記載の方法。 
［２８］前記第１のターゲットコアノードが、前記第２のターゲットコアノードへ、ベアラー・アクティベーション・リクエストを送信することを更に含む［２７］に記載の方法。 
［２９］前記第２のターゲットコアノードが、前記ベアラーのアクティベーションを承認するために、前記第１のターゲットコアノードへ、ベアラー・アクティベーション・レスポンスを送信することを更に含む［２８］に記載の方法。 
［３０］前記新たなＩＰアドレスをホームエージェントへ登録する場合に、該ホームエージェントへバインディング・アップデートを送信することを更に含む［２９］に記載の方法。 
［３１］前記ホームエージェントが、バインディング・アップデート・アクノリッジメントを送信することによって、前記バインディング・アップデートを承認することを更に含む［３０］に記載の方法。 
［３２］前記バインディング・アップデート・アクノリッジメントは、二つ以上のローカル・ブレークアウト・アドレスへ送信される［３１］に記載の方法。 
［３３］前記第１のターゲットコアノードは、ＰＤＮＧＷであり、前記第２のターゲットコアノードは、サービングゲートウェイである［３２］に記載の方法。 
［３４］ユーザ装置（ＵＥ）がソースコアノードを経由する少なくとも一つの初期外部ネットワークコネクションを含む外部ネットワークへゲートウェイ・リロケーションを提供するための装置において、 
前記装置は、少なくとも一つのプロセッサ及び少なくとも一つのメモリを含み、 
前記少なくとも一つのメモリは、 
モビリティー・イベントを初期化することと、 
少なくとも一つの新たな外部ネットワークコネクションを生成するために、前記少なくとも一つの初期外部ネットワークコネクションを、前記ソースコアノード経由から、第１のターゲットコアノード経由へリロケーションすることと、 
前記少なくとも一つの新たな外部ネットワークコネクションについて、少なくとも一つの新たなＩＰアドレスを、前記ＵＥへ割り当てることと、 
前記少なくとも一つの新たなＩＰアドレスを使用すること、 
を実行するための前記少なくとも一つのプロセッサにより実行されるプログラムコードを含む装置。 
［３５］前記外部ネットワークは、パケットデータネットワークである［３４］に記載の装置。 
［３６］前記少なくとも一つの初期外部ネットワークコネクションのうちの一つ又は前記少なくとも一つの新たな外部ネットワークコネクションのうちの一つは、ＰＤＮコネクションである［３５］に記載の装置。 
［３７］前記モビリティー・イベントは、ゲートウェイ・リロケーションである［３４］に記載の装置。 
［３８］前記ゲートウェイ・リロケーションは、３ＧＰＰシステムにより実行される［３７］に記載の装置。 
［３９］前記ゲートウェイ・リロケーションは、３ＧＰＰシステムにおいて部分的に実行され、及び、３ＧＰＰ２ ＨＲＰＤシステムにおいて部分的に実行される［３７］に記載の装置。 
［４０］前記モビリティー・イベントは、ゲートウェイ・リロケーションに結合されたハード・ハンドオーバーである［３４］に記載の装置。 
［４１］前記第１のターゲットコアノードは、前記ハード・ハンドオーバーの完了の後に、前記少なくとも一つの新たなＩＰアドレスを割り当てる［４０］に記載の装置。 
［４２］前記ソースコアノードは、サービングゲートウェイである［３４］に記載の装置。 
［４３］前記ソースコアノード及び前記第１のターゲットコアノードは、ＰＤＮＧＷである［３４］に記載の装置。 
［４４］前記ソースコアノード及び前記第１のターゲットコアノードは、同一場所に配置される［３４］に記載の装置。 
［４５］前記少なくとも一つのメモリは、前記少なくとも一つの新たなＩＰアドレスを登録するためのプログラムコードを更に含む［３４］に記載の装置。 
［４６］前記少なくとも一つの新たなＩＰアドレスは、コアノードに登録される［４５］に記載の装置。 
［４７］前記コアノードは、ホームエージェントである［４６］に記載の装置。 
［４８］前記少なくとも一つの新たなＩＰアドレスは、モバイルＩＰで、そのホームエージェントに登録される［４７］に記載の装置。 
［４９］前記コアノードは、ＰＤＮＧＷである［４６］に記載の装置。 
［５０］前記少なくとも一つの新たなＩＰアドレスの割り当てのために、無線資源管理シグナリングが用いられる［３４］に記載の装置。 
［５１］前記少なくとも一つの新たなＩＰアドレスは、移動ローカルブレークアウトに関連付けられる［３４］に記載の装置。 
［５２］前記第１のターゲットコアノードは、ＰＤＮＧＷであり、前記移動ローカルブレークアウトは、移動ローカルブレークアウトＰＤＮコネクションである［５１］に記載の装置。 
［５３］前記少なくとも一つのメモリは、前記第１のターゲットコアノードを識別するための識別子を用いるためのプログラムコードを更に含む［５１］に記載の装置。 
［５４］前記識別子は、アクセスポイント名（ＡＰＮ）又はネットワークアクセス識別子（ＮＡＩ）のうちの一つである［５３］に記載の装置。 
［５５］前記第１のターゲットコアノードは、ＧＧＳＮ、ＰＤＳＮ、ＣＳＮ、ＰＤＩＦ／ＰＤＧ又はＰＤＮＧＷのうちの一つである［３４］に記載の装置。 
［５６］前記少なくとも一つの新たなＩＰアドレスを割り当てるために、レイヤ２シグナリングが用いられる［３４］に記載の装置。 
［５７］前記少なくとも一つの新たなＩＰアドレスを割り当てるために、ＩＰシグナリングが用いられる［３４］に記載の装置。 
［５８］前記少なくとも一つのメモリは、第２のターゲットコアノードが、ベアラー・アクティベーションを要求するために、前記第１のターゲットコアノードと連絡をとるためのプログラムコードを更に含む［３４］に記載の装置。 
［５９］前記少なくとも一つのメモは、前記第１のターゲットコアノードへ、クリエイト・ベアラー・リクエストを送信するためのプログラムコードを更に含む［５８］に記載の装置。 
［６０］前記少なくとも一つのメモリは、前記第１のターゲットコアノードが、ベアラーのための許可を要求するためのプログラムコードを更に含む［５９］に記載の装置。 
［６１］前記少なくとも一つのメモリは、前記第１のターゲットコアノードが、前記第２のターゲットコアノードへ、ベアラー・アクティベーション・リクエストを送信するためのプログラムコードを更に含む［６０］に記載の装置。 
［６２］前記少なくとも一つのメモリは、前記第２のターゲットコアノードが、前記ベアラーのアクティベーションを承認するために、前記第１のターゲットコアノードへ、ベアラー・アクティベーション・レスポンスを送信するためのプログラムコードを更に含む［６１］に記載の装置。 
［６３］前記少なくとも一つのメモリは、前記新たなＩＰアドレスをホームエージェントへ登録する場合に、該ホームエージェントへバインディング・アップデートを送信するためのプログラムコードを更に含む［６２］に記載の装置。 
［６４］前記少なくとも一つのメモリは、前記ホームエージェントが、バインディング・アップデート・アクノリッジメントを送信することによって、前記バインディング・アップデートを応答するためのプログラムコードを更に含む［６３］に記載の装置。 
［６５］前記バインディング・アップデート・アクノリッジメントは、二つ以上のローカル・ブレークアウト・アドレスへ送信される［６４］に記載の装置。 
［６６］前記第１のターゲットコアノードは、ＰＤＮＧＷであり、前記第２のターゲットコアノードは、サービングゲートウェイである［６５］に記載の装置。 
［６７］ユーザ装置（ＵＥ）がソースコアノードを経由する少なくとも一つの初期外部ネットワークコネクションを含む外部ネットワークへゲートウェイ・リロケーションを提供するための装置において、 
モビリティー・イベントを初期化するための手段と、 
少なくとも一つの新たな外部ネットワークコネクションを生成するために、前記少なくとも一つの初期外部ネットワークコネクションを、前記ソースコアノード経由から、第１のターゲットコアノード経由へリロケーションするための手段と、 
前記少なくとも一つの新たな外部ネットワークコネクションについて、少なくとも一つの新たなＩＰアドレスを、前記ＵＥへ割り当てるための手段と、 
前記少なくとも一つの新たなＩＰアドレスを使用するための手段とを含む装置。 
［６８］前記外部ネットワークは、パケットデータネットワークである［６７］に記載の装置。 
［６９］前記少なくとも一つの初期外部ネットワークコネクションのうちの一つ又は前記少なくとも一つの新たな外部ネットワークコネクションのうちの一つは、ＰＤＮコネクションである［６８］に記載の装置。 
［７０］前記モビリティー・イベントは、ゲートウェイ・リロケーションである［６７］に記載の装置。 
［７１］前記ゲートウェイ・リロケーションは、３ＧＰＰシステムにより実行される［７０］に記載の装置。 
［７２］前記ゲートウェイ・リロケーションは、３ＧＰＰシステムにおいて部分的に実行され、及び、３ＧＰＰ２ ＨＲＰＤシステムにおいて部分的に実行される［７０］に記載の装置。 
［７３］前記モビリティー・イベントは、ゲートウェイ・リロケーションに結合されたハード・ハンドオーバーである［６７］に記載の装置。 
［７４］前記第１のターゲットコアノードは、前記ハード・ハンドオーバーの完了の後に、前記少なくとも一つの新たなＩＰアドレスを割り当てる［７３］に記載の装置。 
［７５］前記ソースコアノードは、サービングゲートウェイである［６７］に記載の装置。 
［７６］前記ソースコアノード及び前記第１のターゲットコアノードは、ＰＤＮＧＷである［６７］に記載の装置。 
［７７］前記ソースコアノード及び前記第１のターゲットコアノードは、同一場所に配置される［６７］に記載の装置。 
［７８］前記少なくとも一つの新たなＩＰアドレスを登録するための手段を更に含む［６７］に記載の装置。 
［７９］前記少なくとも一つの新たなＩＰアドレスは、コアノードに登録される［７８］に記載の装置。 
［８０］前記コアノードは、ホームエージェントである［７９］に記載の装置。 
［８１］前記少なくとも一つの新たなＩＰアドレスは、モバイルＩＰで、そのホームエージェントに登録される［８０］に記載の装置。 
［８２］前記コアノードは、ＰＤＮＧＷである［７９］に記載の装置。 
［８３］前記少なくとも一つの新たなＩＰアドレスの割り当てのために、無線資源管理シグナリングが用いられる［６７］に記載の装置。 
［８４］前記少なくとも一つの新たなＩＰアドレスは、移動ローカルブレークアウトに関連付けられる［６７］に記載の装置。 
［８５］前記第１のターゲットコアノードは、ＰＤＮＧＷであり、前記移動ローカルブレークアウトは、移動ローカルブレークアウトＰＤＮコネクションである［８４］に記載の装置。 
［８６］前記第１のターゲットコアノードを識別するための識別子を用いるための手段を更に含む［８４］に記載の装置。 
［８７］前記識別子は、アクセスポイント名（ＡＰＮ）又はネットワークアクセス識別子（ＮＡＩ）のうちの一つである［８６］に記載の装置。 
［８８］ユーザ装置（ＵＥ）がソースコアノードを経由する少なくとも一つの初期外部ネットワークコネクションを含む外部ネットワークへゲートウェイ・リロケーションを提供するためのコンピュータ読み取り可能な媒体において、 
前記コンピュータ読み取り可能な媒体は、少なくとも一つのコンピュータ実装により実行された場合に、 
モビリティー・イベントを初期化するためのプログラムコードと、 
少なくとも一つの新たな外部ネットワークコネクションを生成するために、前記少なくとも一つの初期外部ネットワークコネクションを、前記ソースコアノード経由から、第１のターゲットコアノード経由へリロケーションするためのプログラムコードと、 
前記少なくとも一つの新たな外部ネットワークコネクションについて、少なくとも一つの新たなＩＰアドレスを、前記ＵＥへ割り当てるためのプログラムコードと、 
前記少なくとも一つの新たなＩＰアドレスを使用するためのプログラムコードと、 
を含む方法を実行するプログラムコードを含むコンピュータ読み取り可能な媒体。 
［８９］前記外部ネットワークは、パケットデータネットワークである［８８］に記載のコンピュータ読み取り可能な媒体。 
［９０］前記少なくとも一つの初期外部ネットワークコネクションのうちの一つ又は前記少なくとも一つの新たな外部ネットワークコネクションのうちの一つは、ＰＤＮコネクションである［８９］に記載のコンピュータ読み取り可能な媒体。 
［９１］前記モビリティー・イベントは、ゲートウェイ・リロケーションである［８８］に記載のコンピュータ読み取り可能な媒体。 
［９２］前記ゲートウェイ・リロケーションは、３ＧＰＰシステムにより実行される［９１］に記載のコンピュータ読み取り可能な媒体。 
［９３］前記ゲートウェイ・リロケーションは、３ＧＰＰシステムにおいて部分的に実行され、及び、３ＧＰＰ２ ＨＲＰＤシステムにおいて部分的に実行される［９１］に記載のコンピュータ読み取り可能な媒体。 
［９４］前記モビリティー・イベントは、ゲートウェイ・リロケーションに結合されたハード・ハンドオーバーである［８８］に記載のコンピュータ読み取り可能な媒体。 
［９５］前記第１のターゲットコアノードは、前記ハード・ハンドオーバーの完了の後に、前記少なくとも一つの新たなＩＰアドレスを割り当てる［９４］に記載のコンピュータ読み取り可能な媒体。 
［９６］前記ソースコアノードは、サービングゲートウェイである［８８］に記載のコンピュータ読み取り可能な媒体。 
［９７］前記ソースコアノード及び前記第１のターゲットコアノードは、ＰＤＮＧＷである［８８］に記載のコンピュータ読み取り可能な媒体。 
［９８］前記ソースコアノード及び前記第１のターゲットコアノードは、同一場所に配置される［８８］に記載のコンピュータ読み取り可能な媒体。 
［９９］前記少なくとも一つの新たなＩＰアドレスを登録するためのプログラムコードを更に含む［８８］に記載のコンピュータ読み取り可能な媒体。 
［１００］前記少なくとも一つの新たなＩＰアドレスは、コアノードに登録される［９９］に記載のコンピュータ読み取り可能な媒体。 
［１０１］前記コアノードは、ホームエージェントである［１００］に記載のコンピュータ読み取り可能な媒体。 
［１０２］前記少なくとも一つの新たなＩＰアドレスは、モバイルＩＰで、そのホームエージェントに登録される［１０１］に記載のコンピュータ読み取り可能な媒体。 
［１０３］前記コアノードは、ＰＤＮＧＷである［１００］に記載のコンピュータ読み取り可能な媒体。 
［１０４］前記少なくとも一つの新たなＩＰアドレスの割り当てのために、無線資源管理シグナリングが用いられる［８８］に記載のコンピュータ読み取り可能な媒体。 
［１０５］前記少なくとも一つの新たなＩＰアドレスは、移動ローカルブレークアウトに関連付けられる［８８］に記載のコンピュータ読み取り可能な媒体。 
［１０６］前記第１のターゲットコアノードは、ＰＤＮＧＷであり、前記移動ローカルブレークアウトは、移動ローカルブレークアウトＰＤＮコネクションである［１０５］に記載のコンピュータ読み取り可能な媒体。 
［１０７］前記第１のターゲットコアノードを識別するための識別子を用いるためのプログラムコードを更に含む［１０５］に記載のコンピュータ読み取り可能な媒体。 
［１０８］前記識別子は、アクセスポイント名（ＡＰＮ）又はネットワークアクセス識別子（ＮＡＩ）のうちの一つである［１０７］に記載のコンピュータ読み取り可能な媒体。
【図１】
0005248597.tif 000002
【図２】
0005248597.tif 000003
【図３ａ】
0005248597.tif 000004
【図３ｂ】
0005248597.tif 000005
【図３ｃ】
0005248597.tif 000006
【図４】
0005248597.tif 000007
【図５ａ】
0005248597.tif 000008
【図５ｂ】
0005248597.tif 000009
【図６】
0005248597.tif 000010
【図７】
0005248597.tif 000011
【図８】
0005248597.tif 000012
【図９】
0005248597.tif 000013
【図１０】
0005248597.tif 000014
【図１１】
0005248597.tif 000015
【図１２】
0005248597.tif 000016
【図１３】
0005248597.tif 000017
【図１４】
0005248597.tif 000018